(57)【要約】【課題】水槽の外枠（外周壁）に、鉄パイプ等からなる支柱、梁部材、枠骨等の規制手段を設けることなく水槽の形状を安定に維持し、組立設置作業及び撤去作業が容易な角型の折畳式水槽を提供する。【解決手段】折畳式水槽１を、弾性変形可能な外周壁１１と底部シート１２とを備えた折り畳み可能な水槽本体１０と、水槽本体１０の内側に設けられ、外周壁１１と底部シート１２とを接続する支持シート３０と、を備え、外周壁１１が、複数枚の壁板１３で構成され、複数枚の壁板１３が起立可能な状態で周方向に隣接して設けられ、支持シート３０が、その一端部が外周壁１１の壁板１３同士を折り曲げ可能に接続する接続折れ部１６に取り付けられ、その他端部が底部シート１２に取り付けられるように構成する。【選択図】図１
2015078004.tif 000002
【特許請求の範囲】
【請求項１】
弾性変形可能な外周壁と底部とを備えた折り畳み可能な水槽本体と、
前記水槽本体の内側に設けられ、前記外周壁と前記底部とを接続する支持部材と、
を備え、
前記外周壁は、複数枚の壁板で構成され、前記複数枚の壁板が起立可能な状態で周方向に隣接して設けられ、
前記支持部材は、その一端部が前記外周壁の壁板同士を折り曲げ可能に接続する接続折れ部に取り付けられ、その他端部が前記底部に取り付けられること
を特徴とする折畳式水槽。
【請求項２】
前記支持部材は、複数本の糸状物が少なくとも１方向に配列された繊維構造物であって、
前記繊維構造物は、前記糸状物の配列方向を前記支持部材に作用する張力の方向に対応させて構成すること
を特徴とする請求項１に記載の折畳式水槽。
【請求項３】
前記繊維構造物が、織物、ネット、又はターポリンであること
を特徴とする請求項２に記載の折畳式水槽。
【請求項４】
支持部材は、その外周壁接続辺と底部接続辺とのなす角度が６０度以上９０度未満であること
を特徴とする請求項１〜３のいずれか一項に記載の折畳式水槽。
【請求項５】
前記支持部材は、略三角形状の部材であること
を特徴とする請求項１〜４のいずれか一項に記載の折畳式水槽。
【請求項６】
前記水槽本体の内側に、上部仕切部材と、下部仕切部材と、を設け、
前記上部仕切部材は、対面する外周壁同士を接続し、その上部で通水遮断されており、且つその下部で通水可能であり、
前記下部仕切部材は、その対面する端部が各々、前記外周壁の対面する前記接続折れ部に取り付けられ、且つその他端部が前記底部に取り付けられた支持部材からなり、その下部で通水遮断されており、且つ前記上部仕切部材よりも高さが低い位置で通水可能であること
を特徴とする請求項１〜４のいずれか一項に記載の折畳式水槽。
【発明の詳細な説明】
【技術分野】
【０００１】
本発明は、槽内に水等の液体（以下、単に水等ともいう）を貯蔵する折畳式水槽に関する。
【背景技術】
【０００２】
従来の防水シート製の折畳式水槽、特に、角型の折畳式水槽は、内部に水等を注入すると、水槽の周囲（壁部）が水圧により略円形に広がる（放射方向に張り出す）ように変形することから、槽内の水等が溢れ出す場合や水槽の壁部が外側に転倒して起立（自立）させることができない場合等があった。
【０００３】
また、空間利用率の点から、水槽の周辺にデッドスペースが生じ易い円形の折畳式水槽に比べ、複数の水槽を並べた際に水槽間に隙間が生じ難い角型の折畳式水槽が求められている。そこで、このような課題を解決するために、様々な折畳式水槽が提案されている。
【０００４】
例えば、特許文献１の折畳式簡易液槽においては、対面する側壁の間に、引っ張り強度の強い可塑性の補強材を、側壁にかかる液圧を支える方向に所定間隔で張り渡すことで、大量の水等を槽内部に確保可能な構造としている。
【先行技術文献】
【特許文献】
【０００５】
【特許文献１】特開平１１−３１４６９７号公報
【発明の概要】
【発明が解決しようとする課題】
【０００６】
しかしながら、特許文献１に示す折畳式簡易液槽は、水槽を構成する布材に袋状に形成された外枠補強パイプ収容部が設けられ、当該収容部に薄肉硬質パイプを挿入することで、外枠の補強がなされている。すなわち、特許文献１に示す折畳式簡易液槽においては、水圧による水槽の周囲（壁部）の変形を規制するために、外枠補強用のパイプ（規制手段）を設ける必要がある。そのため、特許文献１に示す折畳式簡易液槽は、水槽の組立設置作業及び撤去作業に過大な時間と労力を要するという問題がある。
【０００７】
本発明は、上記課題を解決するもので、水槽の外枠（外周壁）に、鉄パイプ等からなる支柱、梁部材、枠骨等の規制手段を設けることなく水槽の形状を安定に維持し、組立設置作業及び撤去作業が容易な角型の折畳式水槽を提供することを目的とする。
【課題を解決するための手段】
【０００８】
上記課題を解決するため、請求項１の発明に係る折畳式水槽は、弾性変形可能な外周壁と底部とを備えた折り畳み可能な水槽本体と、前記水槽本体の内側に設けられ、前記外周壁と前記底部とを接続する支持部材と、を備え、前記外周壁が、複数枚の壁板で構成され、前記複数枚の壁板が起立可能な状態で周方向に隣接して設けられ、前記支持部材は、その一端部が前記外周壁の壁板同士を折り曲げ可能に接続する接続折れ部に取り付けられ、その他端部が前記底部に取り付けられるものである。
【０００９】
上記構成によれば、水槽の外枠（外周壁）に規制手段を設けることなく、支持部材のみにより、外周壁を底部に対して起立した状態で、且つ水槽（外周壁）の形状を所定の形状に維持することができる。
【００１０】
上記課題を解決するため、請求項２の発明に係る折畳式水槽は、請求項１に記載の折畳式水槽であって、前記支持部材は、複数本の糸状物が少なくとも１方向に配列された繊維構造物であって、前記繊維構造物は、前記糸状物の配列方向を前記支持部材に作用する張力の方向に対応させて構成するものである。
【００１１】
上記構成によれば、支持部材が、水圧により支持部材に作用する張力に対して、充分に抵抗することができる。
【００１２】
上記課題を解決するため、請求項３の発明に係る折畳式水槽は、請求項２に記載の折畳式水槽であって、繊維構造物が、織物、ネット、又はターポリンであるものである。
【００１３】
上記構成によれば、支持部材が緊張状態になった場合に、伸びが小さく、外周壁の傾倒を顕著に抑制することができる。
【００１４】
上記課題を解決するため、請求項４の発明に係る折畳式水槽は、請求項１〜３のいずれか一項に記載の折畳式水槽であって、支持部材の外周壁接続辺と底部接続辺とのなす角度が６０度以上９０度未満であるものである。
【００１５】
上記構成によれば、予め外周壁を内側へ傾倒させておき、貯水時に、水圧で外周壁が外側へ傾倒させることで、見かけ上、外周壁が垂直に起立した水槽となる。
【００１６】
上記課題を解決するため、請求項５の発明に係る折畳式水槽は、請求項１〜４のいずれか一項に記載の折畳式水槽であって、前記支持部材が、略三角形状の部材である。
【００１７】
上記構成によれば、より確実に外周壁を底部に対して起立可能に支持することができる。
【００１８】
上記課題を解決するため、請求項６の発明に係る折畳式水槽は、請求項１〜４のいずれか一項に記載の折畳式水槽であって、前記水槽本体の内側に、上部仕切部材と、下部仕切部材と、を設け、前記上部仕切部材は、対面する外周壁同士を接続し、その上部で通水遮断されており、且つその下部で通水可能であり、前記下部仕切部材は、その対面する端部が各々、前記外周壁の対面する前記接続折れ部に取り付けられ、且つその他端部が前記底部に取り付けられた支持部材からなり、その下部で通水遮断されており、且つ前記上部仕切部材よりも高さが低い位置で通水可能である。
【００１９】
上記構成によれば、水等よりも比重の小さいものが上部仕切り部材によって遮断され、水等よりも比重の大きいものが下部仕切り部材によって遮断される。
【発明の効果】
【００２０】
本発明の効果として、以下に示すような効果を奏する。すなわち、上記折畳式水槽によると、デッドスペースを水槽周辺に作ることのない角型の折畳式水槽を容易に組み立てることができ、設置した折畳式水槽は、鉄パイプ等からなる支柱、梁部材、枠骨等の規制手段を設けることなく水槽の形状を安定して維持することができる。また、２個以上の折畳式水槽を、隙間を設けることなく並べて設置することができる。
【図面の簡単な説明】
【００２１】
【図１】本発明の実施例に係る水槽の斜視図である。
【図２】本発明の実施例に係る水槽の注水前の平面図である。
【図３】本発明の実施例に係る水槽の外周壁における接続折れ部近傍の拡大平面図である。
【図４】図３のＡ−Ａ断面図である。
【図５】（ａ）は、支持シートの布目を示す側面図、（ｂ）は、支持シートの斜視図である。
【図６】本発明の実施例に係る水槽の注水後（満水時）の平面図である。
【図７】本発明の実施例に係る水槽の折り畳み方法を示す斜視図である。
【図８】（ａ）は、本発明の別実施例に係る水槽の斜視図、（ｂ）は、（ａ）のＢ−Ｂ断面図である。
【発明を実施するための形態】
【００２２】
以下に、本発明に係る水槽１を実施例に基づいて説明する。
【００２３】
図１に示すように、水槽１は、水等を貯蔵するための水槽本体１０と、水槽本体１０の内側に一体に成形され、水槽本体１０の外周壁１１と底部シート１２とを接続する支持シート３０（「支持部材」の一例）と、から構成される。なお、必要に応じて、水槽本体１０内に貯蔵された水等を排出するための排出ホース５０を設けてもよい。
【００２４】
［水槽本体１０］
図１及び図２に示すように、水槽本体１０は、立方体状或いは直方体状（平面視正方形或いは長方形）に形成され、その内部に水等を貯蔵可能に構成されている。水槽本体１０は、その外周部分を形成する外周壁１１と、外周壁１１の下端部を水密状態で覆う底部シート１２（「底部」の一例）と、から構成されている。
【００２５】
［外周壁１１］
外周壁１１は、防水性を有し、弾性変形可能な部材により構成されている。ここで、弾性変形可能とは、外力を受けて変形し、外力を取り除くと元の形状に戻ることをいう。好ましくは、可撓性を有することをいう。図２に示すように、外周壁１１は、その平面視の形状が正方形或いは長方形である。ここで、平面視の形状とは、水槽１の上方から底部シート１２を見た時の外周壁１１の形状をいう。平面視の形状を正方形或いは長方形にすることにより、複数の水槽を並べた際に水槽間の隙間を少なくすることができ、一定空間内に多くの水槽を配置することができる。
【００２６】
図２及び図３に示すように、外周壁１１は、複数枚の壁板１３と、壁板１３を収容する壁板収容シート１４と、から構成される。外周壁１１は、その断面構造が、内部に壁板１３を内挿した封筒（袋）型の二重の防水シート構造となっていてよい。また、外周壁１１は、壁板収容シート１４に収容される壁板１３が、底部シート１２に対して起立（自立）可能な状態で、底部シート１２の周方向に複数枚隣接して配置されることにより形成される。さらに、外周壁１１は、その折り畳み単位の数、すなわち、壁板１３（壁板収容シート１４の収容部１５）の数が、６以上の偶数個となるように構成され、水槽１の各短辺、長辺の折り畳み単位の数が３×３（図２の場合）、２×４、３×４、４×４等となるように構成されることが好ましい。外周壁１１の折り畳み単位の数を偶数個とすることで、壁板１３同士を重ね合わせて折り畳むことができ、水槽１をよりコンパクトに折り畳んで収納することができる。
【００２７】
［壁板１３］
壁板１３は、弾性変形可能な板状の部材であり、軽量性の観点から発泡樹脂板（例えば、発泡ポリエチレン板）により形成されている。なお、壁板１３は、弾性変形可能な板状の部材であれば、例えば、木板、金属板、樹脂板、エアマット等を用いても構わない。また、壁板１３は、水等の浮力により浮き易い部材が好ましい。
【００２８】
［壁板収容シート１４］
壁板収容シート１４は、防水性を有する封筒状（袋状）のシートであり、ポリエステル糸からなる織編物の表面に、塩化ビニル又はエチレン−酢酸ビニル重合体からなる合成樹脂フィルムをコーティングしてなるターポリンで構成されていてよい。壁板収容シート１４を封筒状（袋状）のシートとして壁板１３を内部に収容可能とすることで、水槽１の外部又は内部から衝撃を受けた場合に、壁板１３が傷付き難く又は破損し難い。さらに、防水性の乏しい壁板１３を用いた場合にも、壁板収容シート１４により防水性を得ることができる。また、壁板収容シート１４をターポリンで構成することにより、屋外で長時間利用しても、劣化しにくく、キズ付きにくいため、壁板収容シート１４に穴が開き難く、また破断し難い。
【００２９】
なお、壁板収容シート１４を、ナイロン糸、オレフィン糸等からなる織編物の表面に、ウレタン、ポリエステル系エラストマー等からなる合成樹脂フィルムをコーティングしてなるターポリンで構成しても構わない。また、水槽１に飲み水等を貯蔵する場合には、壁板収容シート１４を、可塑剤を含まないエチレン−酢酸ビニル重合体をコーティングしてなるターポリンで構成することが望ましい。
【００３０】
また、図３に示すように、壁板収容シート１４は、壁板１３を収容する封筒状（袋状）の収容部１５と、隣接する収容部１５間を連結する接続折れ部１６と、から構成されている。壁板収容シート１４は、複数の収容部１５を接続折れ部１６によって接続することにより帯状に形成される。
【００３１】
図４に示すように、収容部１５は、外周壁１１の内面を形成する内面シート１７と、外周壁１１の外面を形成する外面シート１８と、外周壁１１の上面を形成する上面シート１９と、外周壁１１の下面を形成する下面シート２０と、から構成される。なお、収容部１５は、内面シート１７の上部（下部）と、外面シート１８の上部（下部）とを直接溶着することにより形成しても構わない。また、収容部１５は、壁板１３を出し入れ可能な開口部２１を備えることが好ましい。収容部１５に開口部２１を備えることで、壁板１３が損傷又は変形した場合に、開口部２１から壁板１３を交換することができる。
【００３２】
開口部２１は、必要に応じて、収容部１５の少なくとも一か所に設けられる開口部分であり、その開口部分に面ファスナー２２・２３を設けることで開口部２１を開閉自在にし、壁板１３の出し入れを可能としている。具体的には、雄面ファスナーと雌面ファスナーとのうち一方の面ファスナー２２を下面シート２０の下端に設け、他方の面ファスナー２３を外面シート１８の下端に設ける。そして、開口部２１から収容部１５に壁板１３を収容したうえで、面ファスナー２２・２３によって開口部２１を閉じることで、壁板１３が収容部１５に収容される。なお、開口部２１は、内面シート１７、外面シート１８、上面シート１９、又は下面シート２０のうちいずれに設けても構わない。なかでも、開口部２１は、水槽１の使用時に意図せず開放することがないよう下面シート２０に設けることが好ましい。
【００３３】
［接続折れ部１６］
図３に示すように、接続折れ部１６は、外周壁１１の周方向に隣接する壁板１３同士、すなわち、収容部１５同士を連結する部分である。接続折れ部１６は、収容部１５同士が隣接する部分において、内面シート１７と外面シート１８とが厚み方向に高周波溶着、超音波溶着、熱風溶着、熱コテ溶着、熱板溶着等により溶着されて形成されてよい。また、接続折れ部１６は、その周方向における幅が、後述する支持シート３０の一端部（短辺３２、第１舌片３６）を取り付け可能であり、且つ壁板１３を折り畳むことが可能な程度の幅で形成される。具体的には、接続折れ部１６の幅は、８０ｍｍ〜４００ｍｍであることが好ましく、１２０ｍｍ〜２４０ｍｍであることがより好ましく、１５０ｍｍ〜２００ｍｍであることがとくに好ましい。
【００３４】
このように接続折れ部１６を構成することで、壁板１３が外周壁１１の周方向へ移動することを防止する。また、水槽１の内部へ水等を充填した際に、外周壁１１が変形しようとするために発生する応力を軽減し、壁板１３が周方向に曲がり過ぎて破損することを防止する。加えて、壁板１３を収容したまま接続折れ部１６の位置で折り畳み可能である。さらに、接続折れ部１６を水槽１（水槽本体１０）の内方へ引っ張る際に、接続折れ部１６における内面シート１７と外面シート１８とを同時に水槽１の内方へ向けて引っ張ることができる。すなわち、後述する支持シート３０により接続折れ部１６を支持する際に、接続折れ部１６における内面シート１７を支持する（引っ張る）だけでなく、外面シート１８も同時に支持する（引っ張る）ことができる。
【００３５】
［底部シート１２］
底部シート１２は、壁板収容シート１４と同一素材のターポリンで形成される１枚のシートにより構成されてよい。図１及び図２に示すように、底部シート１２は、外周壁１１の周方向の長さに合わせて、正方形状或いは長方形状に形成され、壁板収容シート１４の下面シート２０と接合することにより、壁板収容シート１４と一体に設けられてよい。
【００３６】
［排水ホース５０］
図１に示すように、排水ホース５０は、必要に応じて、外周壁１１の接続折れ部１６の外面下部に高周波溶着されることで、外周壁１１の下部外面に連設されてよい。また、排水ホース５０は、その基端部、すなわち接続折れ部１６への溶着部及びその近傍に折り畳まれ、面ファスナー５１を用いて外周壁１１の外面に固定されてよい。
【００３７】
［支持シート３０］
次に、支持シート３０（支持部材の一例）について説明する。支持シート３０は、外周壁１１と底部シート１２とを接続する部材であり、その一端部が接続折れ部１６に取り付けられ、その他端部が底部シート１２に取り付けられている。実施例では、図４及び図５に示すように、支持シート３０は、長辺３１及び短辺３２（支持部材の「一端部」の一例）の二つの斜辺と、その一端部で長辺３１と接する底辺３３（支持部材の「他端部」の一例）と、短辺３２と底辺３３との間に形成される切欠き部３８と、からなる略三角形状に形成されるシート片である。
【００３８】
支持シート３０は、繊維構造物を用いることができる。繊維構造物は、特に限定されないが、糸、ロープ、織物、編物、不織布、又はネット、あるいは、これらを用いたターポリンなどであってよい。ここで、ターポリンとは、糸、ロープ、織物、編物、不織布、又はネットなどに合成樹脂を被覆（コーティング）したものであり、好ましくは、合成樹脂を含浸、塗布、又は貼り合わせしたものである。実施例では、支持シート３０は、壁板収容シート１４及び底部シート１２と同様に、ポリエステル糸からなる織編物の表面に、塩化ビニル又はエチレン−酢酸ビニル重合体からなる合成樹脂フィルムをコーティングしてなるターポリンで構成されている。
【００３９】
支持シート３０は、複数本の糸状物が少なくとも１方向に配列された繊維構造物であり、かつ繊維構造物は、糸状物の配列方向を支持部材に作用する張力の方向に対応させて構成することが好ましい。糸状物の配列方向を支持シート３０に作用する張力の方向に配置すると、支持シート３０が緊張状態になった場合に、伸びが小さくなり、外周壁１１の傾倒を抑制することができる。具体的には、糸状物の配列方向を、底部シート１２に対して３０度〜６０度となるように構成してよい。この場合、繊維構造物は、織物、ネット、又はターポリンを用いることがより好ましい。例えば、１方向に配列された糸状物や織物を合成樹脂でコーティングしてなるターポリン、又は押出成型などで得られる成型ネットなどを用いることができる。実施例では、図５（ａ）に示すように、支持シート３０のターポリンに使用されるポリエステル糸の織編物は、ポリエステル糸からなる経糸３４と緯糸３５を交互に浮き沈みさせて織った平織りにより形成され、経糸３４及び緯糸３５のうち一方の糸の長さ方向の向き（布目）を、支持シート３０に作用する張力の方向に対応させて構成されている。具体的には、経糸３４及び緯糸３５のうち一方の糸が、支持シート３０の底辺３３に対して４５度となるように構成されている。支持シート３０のターポリンに使用される織物の布目をバイヤスに用いることにより、支持シート３０が、支持シート３０に作用する張力の方向（短辺３２の方向、図５（ａ）の右方向）に、伸縮変形し難い構成となる。
【００４０】
また、図２に示すように、支持シート３０は、水槽１の断面４辺について、各辺の折り込み単位毎にその壁板収容シート１４の接続折れ部１６に１つ配置される。すなわち、支持シート３０は、水槽１の内側に複数個設けられ、それぞれの支持シート３０が、壁板収容シート１４の各収容部１５間における接続折れ部１６に配置される。例えば、水槽１の各短辺、長辺の折り畳み単位の数が３×３の場合（図２の場合）には、支持シート３０が８つ配置される。各接続折れ部１６に支持シート３０を配置することにより、水槽本体１０が大きくなった場合でも、外周壁１１が外側へ倒れることを防止することができる。これは、各支持シート３０が壁板１３を支えるために必要な力は、水槽１の大きさにかかわらず、支持シート３０同士の間隔に起因するためである。
【００４１】
そして、図２、図４及び図５（ａ）に示すように、支持シート３０は、その短辺３２が壁板収容シート１４の接続折れ部１６における内面シート１７（内側部分）に取り付けられ、その底辺３３が底部シート１２の内側部分に取り付けられる。なお、水槽本体１０の対面する接続折れ部１６（外周壁１１）の間のみに支持シート３０を設けた場合には、外力のない状態においては、支持シート３０の緊張により、互いの壁板１３が外側への傾倒することを防止するが、一方の壁板１３に、水槽１の外側から内側へ向かう外力を加えた場合、支持シート３０の緊張に緩みが生じ、対面する壁板１３（外周壁１１の一部）が外側に押し出されて傾倒する場合がある。これに対して、本発明の水槽１は、支持シート３０が接続折れ部１６（外周壁１１の一部）と底部シート１２とを接続した構成であるので、外周壁１１の一つの壁板１３に、水槽１の外側から内側へ向かう外力を加えた場合でも、他の壁板１３が傾倒することがない。
【００４２】
支持シート３０は、接続折れ部１６と底部シート１２とを接続する限りにおいて、他の箇所と接続されていても構わない。例えば、支持シート３０は、その対面する端部が、各々外周壁１１の対面する接続折れ部１６に取り付けられ、且つその他端部が底部シート１２に取り付けられていてもよい。さりとて、水槽１内部に仕切のない領域を広く設ける観点から、支持シート３０は、その一端部が外周壁１１の壁板１３同士を折り曲げ可能に接続する接続折れ部１６に取り付けられ、その他端部が底部シート１２に取り付けられ、且つ残りの端部がいずれにも取り付けられていないことが好ましい。
【００４３】
支持シート３０を接続折れ部１６における内面シート１７（内側部分）に取り付けることで、支持シート３０が接続折れ部１６を支持する（引っ張る）際に、接続折れ部１６における内面シート１７と外面シート１８とが、同時に水槽１の内方へ向けて引っ張られる。そして、接続折れ部１６に隣接する（２か所の接続折れ部１６に挟まれる）壁板１３の両端部も、接続折れ部１６とともに水槽１の内方へ向けて引っ張られる。このため、注水される水等による水平方向にかかる水圧を、壁板１３全体で負担することができる。
【００４４】
なお、支持シート３０を、壁板収容シート１４の収容部１５における内面シート１７（内側部分）に取り付けると、収容部１５が封筒状（袋状）となっていることから、支持シート３０が収容部１５を支持する（引っ張る）際に、外周壁１１の内側の内面シート１７のみを水槽１の内方へ向けて引っ張ることとなり、好ましくない。
【００４５】
支持シート３０は、水槽本体１０に水等を貯水した状態において、緊張状態となるように、その長さや大きさを選択する。例えば、支持シート３０は、その外周壁接続辺（短辺３２）と底部接続辺（底辺３３）とのなす角度を６０度〜１２０度とすることができる。特に、底部シート１２に対して外周壁１１が垂直に起立した水槽１を得る場合には、支持シート３０の外周壁接続辺（短辺３２）と底部接続辺（底辺３３）とのなす角度を６０度以上９０度未満とすることが好ましい。より好ましくは７０度〜８８度、さらに好ましくは７５度〜８５度である。支持シート３０の外周壁接続辺（短辺３２）と底部接続辺（底辺３３）とのなす角度を９０度未満にすると、外周壁１１を予め水槽１の内側へ傾倒した構成となり、貯水時の水圧で外周壁１１が外側へ傾倒して、見かけ上、外周壁１１が垂直に起立した水槽１となる。実施例では、図５（ａ）に示すように、支持シート３０は、その短辺３２が、底辺３３に対して８度（短辺３２と底辺３３とのなす角度が８２度）で傾斜している。支持シート３０の短辺３２が底辺３３に対して所定の角度で傾斜していることで、支持シート３０を壁板収容シート１４の接続折れ部１６に取り付けた際に、接続折れ部１６が水槽１の内方へ向けて引っ張られた状態となる。すなわち、水槽１の設置時には、外周壁１１の壁板１３が、予め水槽１の内方へ傾倒した状態となる。このため、水槽１（水槽本体１０）に水等が注水される際に、外周壁１１の壁板１３が、水圧によって、水槽１の外方へ必要以上に傾倒することがない。
【００４６】
さらにまた、図５に示すように、必要に応じて、短辺３２と底辺３３との間には、切欠き部３８が形成されていてよい。支持シート３０の取り付けられる壁板収容シート１４の接続折れ部１６の下部付近は、水槽本体１０を構成する各シートの溶着が集中する部分であり、そのような部分へさらに支持シート３０を溶着すると、溶着が不充分となる場合がある。そこで、支持シート３０に切欠き部３８を形成することで、溶着が集中する部分への支持シート３０の溶着を避け、溶着の信頼性を向上させている。また、接続折れ部１６の下部付近は、水等が溜まり易く、水ぬけの悪い部分である。そのため、支持シート３０に切欠き部３８を形成することで、水ぬけ性を向上させている。
【００４７】
さらにまた、図３及び図５（ｂ）に示すように、支持シート３０は、その短辺３２の端縁部近傍に、略Ｌ字状の第１舌片３６・３６が短辺３２の端縁部を挟むように溶着される。そして、溶着した第１舌片３６・３６を１８０度開いて、壁板収容シート１４の接続折れ部１６に溶着して接合することにより、壁板収容シート１４の接続折れ部１６に接続される。これにより、支持シート３０は、短辺３２において、壁板収容シート１４と一体に成形される。
【００４８】
また同様に、支持シート３０は、その底辺３３の端縁部近傍に、略Ｌ字状の第２舌片３７・３７が底辺３３の端縁部を挟むように溶着される。そして、溶着した第２舌片３７・３７を１８０度開いて、底部シート１２に溶着して接合することにより、底部シート１２に接続される。これにより、支持シート３０は、底辺３３において、底部シート１２と一体に成形される。
【００４９】
このように、第１舌片３６及び第２舌片３７を１８０度開いて、壁板収容シート１４の接続折れ部１６或いは底部シート１２に溶着することから、外周壁１１又は底部シート１２への水圧が、第１舌片３６及び第２舌片３７の剥離力として働くことを抑制することができる。
【００５０】
また、図５（ｂ）に示すように、第１舌片３６及び第２舌片３７は、その両端部が、他の溶着接合する第１舌片３６及び第２舌片３７等と干渉しないように、斜めに切り欠いた形状となっている。
【００５１】
［水槽１の使用状態］
次に、水槽１の使用状態について説明する。図２に示すように、水槽１に水等を注水する前段階においては、外周壁１１（特に、外周壁１１の各辺の中央部分）が水槽１の内方へ傾倒しようとする。この外周壁１１の傾倒は、外周壁１１の各辺の長さが長く、各辺を構成する折り畳み単位が多い場合に、特に顕著である。なお、水槽１の角部分は、角を挟んだ外周壁１１の壁板１３が互いに干渉するため、水槽１の内方へは傾倒せず、また、壁板収容シート１４及び底部シート１２に拘束されるため、水槽１の外方にも傾倒しない。
【００５２】
そして、図６に示すように、水槽１（水槽本体１０）に水等を注水すると、水槽１の内方へ傾倒しようとしていた外周壁１１が、注水される水等の水圧と、外周壁１１を構成する発泡樹脂板である壁板１３の浮力と、によって徐々に底部シート１２に対して起立（自立）する姿勢となる。そして、水槽１内を満水状態とすることなく、水槽１を安定した四角形状に維持し、満水状態までの間、四角形状を維持する。
【００５３】
また一方で、水槽１（水槽本体１０）に水等を注水すると、注水される水等の水圧により外周壁１１が水槽１の外方へ傾倒（変形）しようとするが、水槽１においては、外周壁１１及び底部シート１２に取り付けられた支持シート３０が、水槽１の外方へ傾倒（変形）しようとする外周壁１１を、水槽１の内方へ向けて引っ張ることにより、外周壁１１の傾倒（変形）を防止している。
【００５４】
特に、支持シート３０を外周壁１１の接続折れ部１６に取り付けることで、壁板収容シート１４の内面シート１７と外面シート１８とを、同時に水槽１の内方へ向けて引っ張ることができるため、支持シート３０によって確実に外周壁１１の傾倒(変形)を防止することができる。
【００５５】
［水槽１の折り畳み方法］
次に、水槽１の折り畳み方法について説明する。なお、以下の折り畳み方法は、水槽１の各短辺、長辺の折り畳み単位の数が３×３の場合の方法である。
【００５６】
図７（ａ）に示すように、まず、外周壁１１が底部シート１２に対して起立するように水槽１を広げる。水槽１を広げた状態で、外周壁１１の一辺の中央の壁板１３を水槽１の内方へ倒す。倒した中央の壁板１３の上部と底部シート１２とを同時に持って上方に引き上げる。そして、図７（ｂ）及び（ｃ）に示すように、引き上げた中央の壁板１３に隣接する両端の壁板１３を折り畳みが可能な程度に揃え、揃えた両端の壁板１３をそれぞれ中央の壁板１３に対して折り畳む。
【００５７】
同様に、図７（ｄ）及び（ｅ）に示すように、先に折り畳んだ外周壁１１の一辺と反対側の外周壁１１の一辺についても、中央の壁板１３を水槽１の内方に倒し、倒した中央の壁板１３に隣接する両端の壁板１３を、中央の壁板１３に対して折り畳む。このように、外周壁１１の壁板１３を折り畳むことにより、図７（ｆ）に示すように、水槽１を略立方体形状にコンパクトに折り畳むことができる。なお、支持シート３０は、壁板１３を折り畳んだ際に、壁板１３と同時に内部に折り畳まれる。
【００５８】
このように、水槽１においては、壁板１３を収容部１５に収容したままの状態で、外周壁１１を接続折れ部１６の位置で折り畳むことができる。また、外周壁１１の折り畳みにともなって、底部シート１２及び支持シート３０も同様に折り畳むことができる。
【００５９】
以上のように、上記実施例に係る水槽１によると、デッドスペースを水槽１周辺に作ることのない立方体状或いは直方体状の水槽１を容易に組み立てることができる。そして、設置した水槽１は、鉄パイプ等からなる支柱、梁部材、枠骨等の規制手段を設けることなく立方体状或いは直方体状の形状を安定して維持することができる。また、２個以上の水槽１を、隙間を設けることなく並べて設置することができる。
【００６０】
また、上記実施例に係る水槽１によると、水槽１の内方に略三角形状の支持シート３０を複数個配置することで、外周壁１１の外方への転倒を防止し、外周壁１１を底面シート１２に対して起立（自立）させ、且つ立方体状或いは直方体状の形状を保持して注水時の水圧による外周壁１１の変形に抵抗させることができる。また、折り畳み時には水槽１をコンパクトに収納できる。
【００６１】
さらに、上記実施例に係る水槽１によると、支持シート３０を水槽本体１０の内側に一体に成形することで、水槽１の折り畳み時には支持シート３０がそのまま水槽本体１０とともに折り畳まれるため、水槽１の組立設置作業及び撤去作業が格段に短縮でき、水槽１の組立設置作業及び撤去作業自体も簡単に行うことができる。
【００６２】
さらにまた、上記実施例に係る水槽１によると、鉄パイプ等からなる支柱、梁部材、枠骨等の規制手段を設けることなく、水槽本体１０と同一素材の支持シート３０のみで、水槽１の形状を維持しているため、水槽１自体を簡単な構造にすることができる。
【００６３】
次に、本発明に係る水槽１の他の形態である水槽６０について説明する。
【００６４】
図８に示すように、水槽６０は、水槽本体１０の内側に設けられた上部仕切部材６２と、下部仕切部材６３と、中央部仕切部材６４と、を有する。水槽６０は、上部仕切部材６２、下部仕切部材６３及び中央部仕切部材６４を以下のように構成するにより、砂、砂利、土砂、汚泥、又は油等を含む水をその比重の差により分離する分離水槽として利用することができる。
【００６５】
図８に示すように、上部仕切部材６２は、対面する外周壁１１に接続され、その上部で通水を遮断されており、且つその下部で通水可能である。なお、上部仕切部材６２は、その上部において、水よりも比重の小さい不純物を遮断し、その下部において、水及び水よりも比重の大きいものを通過させる役割を担う。すなわち、上部仕切部材６２の下部は、通水可能であればよく、例えば、上部仕切部材６２が底部シート１２と離間してなる構成、又は、上部仕切部材６２の下部をネットなどの通水性を有する材料で構成することができる。なかでも、上部仕切部材６２は、底部シート１２と離間してなることが好ましい。
【００６６】
図８に示すように、下部仕切部材６３は、支持部材であって、その対面する端部が各々、外周壁１１の対面する接続折れ部１６に取り付けられている。さらに、その他端部は底部シート１２に取り付けられ、その下部が通水遮断されている。また、下部仕切部材６３は、上部仕切部材６２よりも高さが低い位置で通水可能である。なお、下部仕切部材６３は、その上部において、水及び水よりも比重の小さいものを通過させ、その下部において、水よりも比重の大きい不純物を遮断する役割を担う。すなわち、下部仕切部材６３は、上部仕切部材６２よりも高さが低い位置で通水可能であればよく、例えば、下部仕切部材６３が上部仕切部材６２よりも高さが低い構成、又は、下部仕切部材６３の上部をネットなどの通水性を有する材料で構成することができる。なかでも、下部仕切部材６３は、上部仕切部材６２よりも高さが低い構成が好ましい。
【００６７】
また、上部仕切部材６２及び下部仕切部材６３は、それぞれが１又は２以上設けられていてよく、少なくとも一方の仕切部材が２以上である場合には、それぞれが交互に設けられていることが好ましい。なお、図８では、２つの上部仕切部材６２の間に１つの下部仕切部材６３が設けられた構成を示している。
【００６８】
図８に示すように、中央部仕切部材６４は、支持部材であって、一端部が外周壁１１の接続折れ部１６に取り付けられ、且つ他端部が上部仕切部材６２に取り付けられる部材と、一端部が上部仕切部材６２に取り付けられ、且つ他端部が下部仕切部材６３に取り付けられる部材と、から構成される。中央部仕切部材６４は、下部仕切部材６３と同様に、その下端部が底部シート１２に取り付けられ、その下部が通水遮断されている。また、中央部仕切部材６４は、上部仕切部材６２よりも高さが低い位置で通水可能である。
【００６９】
図８に示す水槽６０は、第１領域７０において、水よりも比重の小さいもの（図８では油）が、その上部で上部仕切部材６２によって遮断され、水及び水よりも比重の大きいもの（図８では泥及び砂利）が、その下部から第２領域へ移動する。
【００７０】
第２領域７１においては、水及び水よりも比重の小さいものが、その上部から第３領域へ移動し、水及び水よりも比重の大きいものが、その下部で下部仕切部材６３によって遮断される。
【００７１】
第３領域７２においては、水よりも比重の小さいものが、その上部で上部仕切部材６２によって遮断され、水及び水よりも比重の大きいものが、その下部から第４領域７３へ移動する。その結果、第４領域７３では、水よりも比重の小さいもの、及び水よりも比重の大きいものが分離された状態の水を得ることができる。
【００７２】
すなわち、上記水槽６０のような分離水槽を用いれば、砂、砂利、土砂、汚泥、又は油などを含む水のうちから、粗々に水を分離することができる。例えば、工事現場などで生じた汚泥水などを廃棄処理する場合に、本発明の水槽６０を用いて、水と汚泥を分離し、分離した水のみを廃棄すれば、周辺環境を汚染することがない。
【００７３】
なお、水槽１（水槽６０）を構成する底部シート１２、壁板収容シート１４、支持シート３０（上部仕切部材６２及び下部仕切部材６３）は、中に入れる液体に合わせて選択してよい。例えば、水槽１（水槽６０）内に水を入れる場合には、いずれのシートも水に接触したときに分解したり変形したりしない耐水性のシートであることが好ましい。
【００７４】
また、水槽１においては、支持シート３０は、経糸３４及び緯糸３５からなる平織りのシートで構成されているが、上述のとおり、これに限定されるものではなく、水槽１内の水の通りを良くするために、支持シート３０を、経糸３４及び緯糸３５からなるメッシュ状のシートで構成しても構わない。
【００７５】
さらに、水槽１においては、支持シート３０をシート状の部材で構成しているが、上述のとおり、これに限定されるものでなく、外周壁１１を支持可能な構成であれば、例えば、ロープ等で支持する構成としても構わない。
【００７６】
さらにまた、水槽１（水槽６０）の上部に、シート製の蓋（カバー）を取り付けて、水槽１（水槽６０）の上部（開口部）を覆う構成としても構わない。また、水槽１（水槽６０）における上記シート製の蓋（カバー）の開閉を、気密性のスライドファスナーを使用して行う構成としても構わない。
【符号の説明】
【００７７】
１、６０      水槽
１０          水槽本体
１１          外周壁
１２          底部シート（底部）
１３          壁板
１６          接続折れ部
３０          支持シート（支持部材）
３２          短辺（外周壁接続辺）
３３          底辺（底部接続辺）
６２          上部仕切部材
６３          下部仕切部材
【図１】
2015078004.tif 000003
【図２】
2015078004.tif 000004
【図３】
2015078004.tif 000005
【図４】
2015078004.tif 000006
【図５】
2015078004.tif 000007
【図６】
2015078004.tif 000008
【図７】
2015078004.tif 000009
【図８】
2015078004.tif 000010